(57)【要約】      （修正有）【課題】本発明は、マイクロカプセル磁気泳動表示シートの表面に表示された文字を完全に消去できるイレーザーを提供する。【解決手段】利用者によって把持されるケース１と、ケース１の底面に形成された凹部に回転可能に取り付けられたローラー２と、を備え、ローラー２に磁石を内蔵する。これにより、バッテリーを使用しない方法でマイクロカプセルに作用させる磁力線を変化させ、マイクロカプセル磁気泳動表示シートの表面に表示された文字を完全に消去できる。【選択図】図１
2019117246.tif 000002
【特許請求の範囲】
【請求項１】
利用者によって把持されるケースと、該ケースの底面に形成された凹部に回転可能に取り付けられたローラーと、を備え、該ローラーに磁石を内蔵した事を特徴とするイレーザー。
【請求項２】
前記ローラーの回転に対して磁石の回転を多くする回転調整部を前記ローラーに備えた事を特徴とする請求項１に記載のイレーザー。
【請求項３】
前記回転調整部は、遊星ギアを備える事を特徴とする請求項２に記載のイレーザー。
【請求項４】
前記ローラーは、外ローラー及び内ローラーを備え、内ローラーに前記磁石が内蔵されていることを特徴とする請求項２又は請求項３に記載のイレーザー。
【請求項５】
前記回転調整部は、前記外ローラーと前記内ローラーとの間に備えられている事を特徴とする請求項４に記載のイレーザー。
【発明の詳細な説明】
【技術分野】
【０００１】
本発明は、マイクロカプセル磁気泳動表示シートの表面に表示された文字を表面から消去可能なイレーザーに関する。
【背景技術】
【０００２】
従来からマイクロカプセル磁気泳動表示シートの表面に表示された文字を表面から消去できるイレーザーは知られている。例えば、特許文献１には、マイクロカプセル磁気泳動表示シートと磁石との間にクリアランスを設けるために磁石に非磁性体を配置し、磁石を固定して磁力線を変化させないイレーザーが開示されている。このイレーザーの磁石の磁力線を、マイクロカプセル磁気泳動表示シート内のマイクロカプセルに水平に作用させることができる。これにより、表面側に集まったマイクロカプセル内の黒色の磁性粒子を泳動させ、分散させ、白色顔料の非磁性粒子を表面に多く集めることで、表面に表示された文字を消去させることができる。
【０００３】
また、特許文献２には、筐体内部にモータと磁石とを備え、磁石を回転可能にして磁力線を変化させるイレーザーが開示されている。
【先行技術文献】
【特許文献】
【０００４】
【特許文献１】特開２００８−１２２９８９号公報
【特許文献２】特許第６２１３８８６号公報
【発明の概要】
【発明が解決しようとする課題】
【０００５】
しかしながら、特許文献１のイレーザーは、水平の磁力線のみをマイクロカプセルに作用させるには、クリアランスを大きく取る必要があり、マイクロカプセルと磁石とのクリアランスが大きくなればなるほど、マイクロカプセルに作用させる磁力線が弱まり、表面に表示された文字を完全に消去できない事があった。
【０００６】
また、引用文献２のイレーザーは、モータを駆動するためにバッテリーを必要とし、使用したいときにバッテリー切れで使用できない事があった。
【０００７】
また、本出願人は、モータ及びバッテリーを使用しない方法でマイクロカプセルに作用させる磁力線を変化させることで黒色の磁性粒子を大きく泳動させることを見出した。
【０００８】
本発明は、モータ及びバッテリーを使用せずに、マイクロカプセル磁気泳動表示シートの表面に表示された文字を完全に消去できるイレーザーを提供する事を目的とする。
【課題を解決するための手段】
【０００９】
上記目的を達成するために、請求項１に記載の発明に係るイレーザーは、利用者によって把持されるケースと、該ケースの底面に形成された凹部に回転可能に取り付けられたローラーと、を備え、該ローラーに磁石を内蔵する。
【００１０】
請求項２に記載の発明に係るイレーザーにおいて、前記ローラーの回転に対して磁石の回転を多くする回転調整部を前記ローラーに備える。
【００１１】
請求項３に記載の発明に係るイレーザーにおいて、前記回転調整部は、遊星ギアを備える。
【００１２】
請求項４に記載の発明に係るイレーザーにおいて、前記ローラーは、外ローラー及び内ローラーを備え、内ローラーに前記磁石が内蔵されている。
【００１３】
請求項５に記載の発明に係るイレーザーにおいて、前記回転調整部は、前記外ローラーと前記内ローラーとの間に備えられている。
【発明の効果】
【００１４】
本発明によれば、ケースは、利用者によって把持される。ローラーは、該ケースの底面に形成された凹部に回転可能に取付けられる。ローラーは、磁石を内蔵する。この結果、モータ及びバッテリーを使用せずに、マイクロカプセル磁気泳動表示シートの表面に表示された文字を完全に消去できる。
【図面の簡単な説明】
【００１５】
【図１】本発明の実施形態に係るイレーザーの全体形状図である。
【図２】本実施形態に係るイレーザーの図１のＡ−Ａ断面図である。
【図３】本実施形態における外ローラーを形成する部材を示す図である。
【図４】本実施形態における内ローラーを形成する部材を示す図である。
【図５】本実施形態における回転調整部を示す図である。
【発明を実施するための形態】
【００１６】
本発明のイレーザーに係る実施形態について、図面を参照して説明する。
【００１７】
［実施形態］
本発明の実施形態に係るイレーザーは、図１に示すように、ケース１と、ローラー２と、を備える。
【００１８】
イレーザーを説明するために、図１に示す矢印Yの上方向を「上」及び下方向を「下」と、矢印Xの左方向を「左」及び右方向を「右」と、表現して説明する。
【００１９】
ケース１は、プラスチック等の非磁性材料である材質から形成されており、筐体を兼ねている。ケース１の上の部分は、利用者が手で持つ部分であり、利用者が握りやすい形状が望ましい。
【００２０】
ケース１の上下方向に垂直であって、下側に位置する底面は、マイクロカプセル磁気泳動表示シートの表面側に配置される。下側に位置する底面の中央に左右方向に長手となる長方形の凹部が形成されている。
【００２１】
ローラー２は、後述する第１回転軸３を介して、ケース１の長方形の凹部に回転可能に取り付けられている。
【００２２】
図２は、図１のＡ−Ａ断面図であり、図２を用いて、ケース１、ローラー２を詳細に説明する。
【００２３】
ケース１の下側の位置する底面には、凹部が形成されている。この凹部を形成する４つの側面及び天面のうち、左右方向に垂直となる両側面に、それぞれ第１回転軸３を取付けるための窪みが形成されている。具体的には、右側の側面に形成された窪みには、円柱形状の第１回転軸３が回転可能に取付けられており、左側の側面に形成された窪みには、後述する回転調整部２２の第１回転軸３が回転可能に取付けられている。
【００２４】
右側の側面の窪みに取付けられた第１回転軸３は、後述する外ローラー２１の第１回転軸受け部２１３の窪みに取付けされる。左側の側面の窪みに取付けられた後述する回転調整部２２の第１回転軸３は、後述する外ローラー２１の第１回転軸受け部２１３の貫通孔に回転可能に取付けられている。
【００２５】
ローラー２は、外ローラー２１と、回転調整部２２と、第２回転軸２３と、内ローラー２４と、第１磁石２４４と、第２磁石２４５と、第３磁石２４６と、を備える。
【００２６】
外ローラー２１は、円柱の形状を有しており、プラスチック等の非磁性材料である材質から形成されている。具体的には、外ローラー２１は、図３に示すように、半円柱形状の部材から形成されており、２つの半円柱形状の部材が組み付けられることで形成される。
【００２７】
外ローラー２１を形成する半円柱形状の部材には、内周壁２１１と１対の側壁２１２とが形成されている。これにより、外ローラー２１の内部は、円柱状の内部空間が形成される。また、１対の側壁のうち、右側の側壁には、半円柱形状の第２回転軸２３が形成されている。これにより、２つの半円柱形状の部材が組み付けられたときに、円柱形状の第２回転軸２３が形成される。左側の側壁には、半円柱形状の凹部である第１回転軸受け部２１３が形成されている。これにより、２つの半円柱形状の部材が組み付けられたときに、円形の貫通孔である第１回転軸受け部２１３が形成される。
【００２８】
また、外ローラー２１を形成する半円柱形状の部材には、右側の側壁の反対側、すなわち外側に位置する面には、半円柱形状の窪みである第１回転軸受け部２１３が形成されている。これにより、２つの半円柱形状の部材が組み付けられたときに、円柱形状の窪みである第１回転軸受け部２１３が形成される。外ローラー２１の外周面には、滑りにくい素材としてゴム等の材質が貼り付けられている。
【００２９】
回転調整部２２は、外ローラー２１の回転に対して内ローラー２４の回転を早めるために備えられる。回転調整部２２は、プラスチック等の非磁性体である材質から形成されている。具体的には、回転調整部２２は、図５に示すように遊星ギアを備える。遊星ギアは、第１回転軸３の端部に形成された内周に歯を有する外歯車３１と、その外歯車３１の歯に、螺合する３つの中間歯車３２と、その３つの中間歯車３２の間に位置し、３つの中間歯車３２の歯に螺合する、第２回転軸２３の端部に形成された内歯車２３１とで、形成される。これにより、第１回転軸３の回転数に比べて、第２回転軸２３の回転数が多くなる。
【００３０】
第２回転軸２３は、上述したように外ローラー２１の右側の側面に形成された第２回転軸２３と、左側の側面に形成された第１回転軸受け部２１３の貫通孔に取付けられた回転調整部２２の第２回転軸２３とを、備える。この第２回転軸２３に、内ローラー２４が回転可能に取付けられる。
【００３１】
内ローラー２４は、円柱の形状を有しており、プラスチック等の非磁性材料である材質から形成されている。具体的には、内ローラー２４は、図４に示すように、半円柱形状の部材から形成されており、２つの半円柱形状の部材が組み付けられることで形成される。
【００３２】
内ローラー２４を形成する半円柱形状の部材には、内側に、磁石を備えるための凹部である第１磁石収納部２４１、第２磁石収納部２４２、及び第３磁石収納部２４３が形成されている。この第１磁石収納部２４１、第２磁石収納部２４２、及び第３磁石収納部２４３は、磁石の半分の外形とほぼ同一の形状を有する。
【００３３】
また、内ローラー２４の外側に形成された両端面には、第２回転軸２３を取り付けるため半円柱形状の窪みである第２回転軸受け部２４７が形成される。これにより、２つの半円柱形状の部材が組み付けられたときに、円柱形状の窪みである第２回転軸受け部２４７が形成される。
【００３４】
第１磁石２４４、第２磁石２４５、及び第３磁石２４６は、円柱形状の磁石で、円周上で磁極が異なるように磁化されている。これにより、内ローラー２４が回転することで、内ローラー２４に内蔵された第１磁石２４４、第２磁石２４５、及び第３磁石２４６が回転し、マイクロカプセル磁気泳動表示シートに面する第１磁石２４４、第２磁石２４５、及び第３磁石２４６の磁極が、Ｎ極からＳ極を経てＮ極へと変化し、マイクロカプセルに作用させる磁力線を変化させることができる。なお、第１磁石２４４、第２磁石２４５、及び第３磁石２４６は円筒形状のものであっても、四角柱形状のものであっても良い。
【００３５】
＜本実施形態の効果＞
本実施形態によれば、モータ等で駆動させる必要がないために、バッテリーが不要となる事から、利用者は使用したいときにバッテリー切れ等を気にする事なく、本発明のイレーザーを使用する事ができる
【００３６】
本実施形態によれば、外ローラー２１が１回転する間に、回転調整部２２により磁石を内蔵した内ローラー２４が１回転よりも多く回転する。これによって、マイクロカプセル磁気泳動表示シートのマイクロカプセル内の磁性粒子に、磁力線の変化を多く与える事が可能となり、カプセル内で磁性粒子の動きが活発となり、表面から遠ざかる方向に磁性粒子が動き消去性を高めることができる。
【００３７】
本実施形態によれば、回転調整部２２として遊星ギアを備える。これによって、遊星ギアを形成する第１回転軸３と第２回転軸２３とを同軸上に配置できるため、回転調整部２２を小型化できる。
【００３８】
本発明の実施形態について以上説明したが、本発明の趣旨を逸脱しない範囲において、当業者であれば種々の変更を加える事ができる。
【００３９】
（変形例１）
本実施形態において、回転調整部は、遊星ギアを備える。この実施形態に代えて、ギア比の異なる歯車を異なる軸上に配置して構成しても良い。
【００４０】
（変形例２）
本実施形態において、第１磁石２４４と、第２磁石２４５と、第３磁石２４６と、を備える。この実施形態に代えて、磁石の数は幾つでも良く、第１磁石２４４のみで構成しても良い。
【００４１】
（変形例３）
本実施形態において、内ローラー２４の内部に磁石を配置する。この実施形態に代えて、内ローラー２４を備えず、第２回転軸２３に直接磁石を備えた構成であっても良い。
【符号の説明】
【００４２】
１・・・ケース、２・・・ローラー、２１・・・外ローラー、２２・・・回転調整部、２３・・・第２回転部、２４・・・内ローラー、２４４・・・第１磁石、２４５・・・第２磁石、２４６・・・第３磁石
【図１】
2019117246.tif 000003
【図２】
2019117246.tif 000004
【図３】
2019117246.tif 000005
【図４】
2019117246.tif 000006
【図５】
2019117246.tif 000007